Podtech/llm-jp-corpus-v4-ja_patent huggingface dataset:
(57)【要約】【課題】  クローゼット（押入れ）内部の湿気を、電気ヒーターなどを使用せずに恒常的に除去するクローゼット扉の技術を提供すること。【解決手段】  クローゼットの扉内部のクローゼット側にシリカゲル収納部分を構成し、室内側の扉化粧板下部に空気取り入れ口を、同じく上部に空気排出口を作り、内部に上場気流の通気層をつくる構成とする。【選択図】図１
2005264702.tif 000002
【特許請求の範囲】
【請求項１】
クローゼット（押入れ）の扉（ドア）のクローゼット内側部分に、シリカゲルを透湿性のあるシートやメッシュ（ネット）に納入し、当該シリカゲル収納部分と室内側の化粧板の間に通気層を設け、化粧板下部に空気取り入れ口、上部に空気排出口を付ける事を特徴とした湿気除去クローゼット扉である。
【請求項２】
請求項１において、シリカゲルの収納方法を透湿性のある平面シートに同じく透湿性のあるシリカゲルカバーシートで挟み込み、平面シート部分を湿気の通す穴の開いた板に取り付け、クローゼット側に配置し、室内側の化粧板の下部に空気取り入れ口、上部に空気排出口をつける事を特徴とした、湿気除去クローゼット扉。
【請求項３】
請求項１において、シリカゲル収納部分を細かい穴を開けた樹脂製成型ボードとし、シリカゲルを収納した事を特徴とした湿気除去クローゼット扉。
【請求項４】
請求項１において、シリカゲル収納部分をステンレスや固い樹脂メッシュで挟み込む構造とした湿気除去クローゼット扉。
【発明の詳細な説明】
【技術の分野】
【０００１】  本発明は建物のクローゼットや押入れの扉に工夫を凝らし、内部の湿気を恒常的に乾燥状態を維持する扉（ドア、引き戸）に関するものである。
【背景の技術】
【０００２】  コンクリート建築物や一般の住宅でも、クローゼットや押入れの内部が結露によって収納物を傷める場合があり、その対策として乾燥剤を置いたり、除湿機で吸い取る方法が用いられている。
【発明の開示】
【発明が解決しようとする課題】
【０００３】  湿気を持つクローゼットや押入れに乾燥剤を入れ込んでも、短時間で飽和状態となる事がある。
また、電気で稼動させる方法があるが、収納（ビルトイン）タイプの除湿機は短期間で除湿機の内部が腐食するなどの問題が多くある。【０００４】本発明は以上の点に鑑みて成されたものであり、次の目的を達成できる。
（１）電気も使わず、取り替えの要らないシリカゲルを用い、恒常的にクローゼット（押入れ）内を乾燥状況に維持できる。
（２）一般の建具の内部に本発明が成されており、新築や既存のリフォームにも簡単に装着する事が出来る。
【課題を解決するための手段】
【０００５】  本発明はクローゼット（押入れ）の扉（ドア）のクローゼット側に、シリカゲルを収納し、当該シリカゲル部分と扉の室内側の化粧板の下部に空気取り入れ口、上部に空気排出口を設けた化粧板との間に、上昇気流層を設ける事で成立する。シリカゲルの収納方法は、クローゼット（押入れ）の扉（ドア）のクローゼット側に、シリカゲルを透湿性のある表シートと裏シートで挟み込み、表シート部分を湿気の通す穴のあいた板に取り付ける方法がある。他に、裏表の両面に細かい穴をあけた樹脂製のハーモニカ状の成型板にシリカゲルを収納する方法もある。さらにステンレスメッシュや固い樹脂性メッシュでシリカゲルを挟み込む方法などがあるが、いずれもこのシリカゲルの収納部分をクローゼット側に配置し、室内側の化粧板の下部に空気取り入れ口、上部に空気排出口をつける事を特徴としている。
【発明の効果】
【０００６】本発明は次の効果を得る事が出来る。
（１）クローゼット（押入れ）内の湿気が、扉に取り付けられたシリカゲルに吸着されると凝縮熱が発生して、通気層内に上昇気流が発生し室内側の化粧板の下部の空気取り入れ口から空気を吸い込み、上部の空気排出口から湿気を排出する。
（２）通常の生活空間の居室は生活発生熱でクローゼット内部より、気温が高くなっており、僅かな凝縮熱の発生で通気層内の上昇気流が促進される。
（３）シリカゲルの湿気の吸着排出効力は半永久的に持続される物理吸着であり、機械や電気、ヒーターなどを使用せず、長期間にわたりクローゼット内を乾燥状態に維持する事が出来る。
（４）シリカゲルは、クローゼット内の湿気を吸着する際に凝縮熱を出し、その凝縮熱で自らの吸着した湿気を放散させる事を繰り返し、恒常的に吸着・再生を繰り返す作用がある。
【発明を実施するための最良の形態】
【０００７】（１）シリカゲル収納部の位置
シリカゲル４は出来るだけクローゼット内部の湿気を吸着できる環境で位置と形態に配置される。【０００８】（２）通気層の幅
通気層６の幅は広すぎると空気対流を起こし、狭ければ上昇しにくくなるため、適度な幅が要求される。【０００９】（３）シリカゲルの量
シリカゲル４の量は多すぎると、凝縮熱をシリカゲル４そのものが蓄熱してしまい上昇気流が発生しなくなり、少なすぎると凝縮熱そのものが少なすぎて上昇気流を起こさないため、適度な量が要求される。【００１０】（４）効率的な形態
穴１の開いた板２に平面透湿シート３に凸状にシリカゲル４を同じ透湿シート５で熱粘着させ、通気層６となる部分に上昇気流層１４が発生し、室内側の化粧板１１の下部の空気取り入れ口１２から空気を吸い込み、上部の空気排出口１３から湿気を排出する形態が効率的である。
なお、穴１の開いた板２に平面透湿シート３を取り付ける場合、穴１の開いた板２と、平面透湿シート３の間に２ｍｍ〜３ｍｍの間隔を開けることが、より効果的である。
【産業上の利用可能性】
【００１１】（１）簡単な構造で電気や機械を使用しないで安価に供給可能である。
（２）既存住宅の押入れの湿気防止のリニューアルに利用できる。
（３）既存の公団住宅などの押入れの湿気防止として利用できる。
（４）北側のクローゼットの扉として新築時から取り付けしておく。
【図面の簡単な説明】
【００１２】
【図１】本発明の請求項２の透湿シートを用いた仕様の立面断面図
【図２】本発明の請求項２の透湿シートを用いた仕様の平面断面図
【図３】本発明の請求項３の穴あき樹脂プレートにシリカゲル収納した仕様の立面断面図
【図４】本発明の請求項４のステンレス、固い樹脂メッシュでシリカゲルを収納した仕様の平面断面図
【符号の説明】
【００１３】１  （穴あき板の）穴
２  （穴あき板の）板
３  平面透湿シート
４  シリカゲル
５  カバー透湿シート
６  通気層
７  扉下枠
８  雇上枠
９  扉縦枠
１０  室内側化粧板
１１  下部空気取り入れ口
１２  上部空気排出口
１３  上昇空気
１４  樹脂ドア内部穴
１５  樹脂シリカゲル収納カバー
１６  樹脂ドア外部穴
１７  メッシュ（ステンレス・硬質樹脂）
１８  メッシュ・スペーサー
【図１】
2005264702.tif 000003
【図２】
2005264702.tif 000004
【図３】
2005264702.tif 000005
【図４】
2005264702.tif 000006
(57)【要約】【課題】外部電源方式の電気防食を施すべきコンクリート部材中に、コンクリート部材の外面と鉄筋間に電気的導通を付与する短絡埋設物があるか否かを検出する。【解決手段】可撓性を有する箒状の導電性部材１１を電気防食を施すべきコンクリート部材２０の外面２４に接触させて移動させ、導電性部材１１とコンクリート部材２０内の鉄筋２１との間の短絡を検知し、コンクリート部材２０中に短絡埋設物２２があれば、これを除去した後、コンクリート部材２０の外面２４又は溝２３内に電気防食用の陽極を装着する。【選択図】        図１
2005264571.tif 000002
【特許請求の範囲】
【請求項１】
外部電源方式の電気防食を施すに当り、可撓性を有する箒状の導電性部材をコンクリート部材の外面に接触させて移動させ、該導電性部材とコンクリート中の鉄筋との間の短絡の有無によりコンクリート表面にある露出金属を検知し、コンクリート表面に存在する短絡埋設物を除去した後、コンクリート部材の外面に陽極を装着することを特徴とする電気防食工の事前処理方法。
【発明の詳細な説明】
【技術分野】
【０００１】
本発明は、電気防食工の事前処理方法に関し、さらに詳しくは外部電源方式の電気防食を施すべきコンクリート部材の外面に、鉄筋と電気的導通がある埋設物の露出部が存在するか否かを検出し、若し存在すれば発見された短絡埋設物を除去した後、電気防食を施すようにした電気防食工の事前処理方法に関する。
【背景技術】
【０００２】
コンクリート構造物に外部電源方式の電気防食技術を施す場合、コンクリート部材の外面又はコンクリート部材の外面に切削等によって形成した溝内に、陽極を装着する。コンクリート中の鉄筋と電気的導通がある埋設物がコンクリート部材の外面または加工した面、例えば上記切削等によって形成した溝内に露出している場合には、陽極がこの埋設物を介して電気的に鉄筋と短絡し、外部電源方式の正常な電気防食回路を形成することが出来ないという問題がある。
【０００３】
このようなコンクリート部材中の鉄筋とコンクリート部材の外面との間に電気的に導通のある埋設物を本発明では短絡埋設物と称する。このような短絡埋設物としては、例えば、鉄筋結束線、鉄筋位置保持治具、型枠保持用スペーサ、その他の金属片などがある。このような短絡埋設物が存在するか否かは、従来、技術者がコンクリート部材の外面や切削等によって形成した溝内等を慎重に目視観察することにより発見している。しかし、このような短絡埋設物の目視による発見には困難性が伴い、見逃すことも多く、電気防食技術が妨げられるという問題がある。
【０００４】
外部電源方式の電気防食技術については、チタン電極を用いるすぐれた技術がある。（例えば、特許文献１参照。）。
【特許文献１】特開２００１−１１６６６号公報（第２−３頁、図４）
【発明の開示】
【発明が解決しようとする課題】
【０００５】
本発明は、外部電源方式の電気防食を施すべきコンクリート部材中にコンクリート部材の外面と鉄筋間に電気的導通を付与する短絡埋設物が存在するか否かを容易に検出し、若し存在した場合には、この短絡埋設物を除去した後、コンクリート部材の外面に陽極を装着する技術を提供することを目的とするものである。
【課題を解決するための手段】
【０００６】
本発明は、上記問題点を解決するために開発されたもので、コンクリート中の鉄筋や鋼材を保護するために、外部電源方式の電気防食を施すに当り、可撓性を有する箒状の導電性部材をコンクリート部材の外面に接触させて移動させ、該導電性部材とコンクリート中の鉄筋との間の短絡の有無によりコンクリート表面にある露出金属を検知し、コンクリート表面に存在する短絡埋設物を除去した後、コンクリート部材の外面に陽極を装着することを特徴とする電気防食工の事前処理方法である。この方法によれば外部電源方式の電気防食において、短絡埋設物を簡単にかつ、正確に検知することが可能となりトラブルをなくすることができる。
【発明の効果】
【０００７】
本発明によれば、外部電源方式の電気防食を施すべきコンクリート部材中にコンクリート部材の外面と鉄筋間に電気的導通を付与する短絡埋設物が存在するか否かを容易に検出することができ、若し短絡埋設物が存在するときには短絡埋設物を除去した後、コンクリート部材の外面に陽極を装着する。従って、短絡埋設物を容易に発見することができ、短絡によるトラブルをなくすることが可能となった。
【発明を実施するための最良の形態】
【０００８】
本発明は外部電源方式の電気防食を行う場合に適用される短絡埋設物の検出、除去技術である。
【０００９】
以下、図面を参照して本発明を実施するための最良の形態を説明する。
【００１０】
図１に本発明方法を実施するシステムの構成図を示した。このシステムは箒状をなす導電性部材１１を表示装置１４、直流電圧計１５を介して、導線１３でコンクリート部材２０中の鉄筋２１に結線する。コンクリート部材２０は、外部電源方式の電気防食を行うために、コンクリート部材２０の外面１４に溝２３を設け、ここに陽極を装着する。
【００１１】
陽極の装着に先立って、上記箒状の導電性部材１１のホールダ１２を持って、コンクリート部材２０の外面２４に導電性部材１１を接触させながら移動し、導電性部材１１とコンクリート部材２０中の鉄筋２１との間の短絡を検知し、コンクリート部材２０中に存在する短絡埋設物２２の存在を検知する。このときもし、コンクリート部材２０の外面２４又は溝２３の内面と鉄筋２１とを電気的に短絡させる短絡埋設物２２が存在すると、表示装置１４に表示される。
【００１２】
表示装置１４の表示手段としては直流電圧計等を用いればよいが、導通があったとき、作動するランプやブザー等による警報を用いてもよい。短絡埋設物２２が検知されたらこれを除去した後、コンクリート部材２０や外面２４の溝２３内などに電気防食装置の陽極を装着する。
【００１３】
可撓性を有する箒状の導電性部材１１は市販のワイヤーブラシや箒状の簡易な導電性材料からなる部材を用いるとよい。例えば、コンクリート部材２０中の鉄筋２１を市販の導通テスター等と接続し、上記の導電性部材１１をコンクリート部材２０の外面２４に沿って移動させることにより、短絡埋設物２２が存在した場合にはテスターが反応し、発見することが可能となる。
【００１４】
このような手法を用いることにより、専門の技術を有する技術者でなくとも、簡単に、かつ、確実に短絡埋設物２２を発見することが可能となり、これを除去することが容易にできるので確実な電気防食を施工することが可能となる。
【図面の簡単な説明】
【００１５】
【図１】本発明方法を実施するシステムの構成図である。
【符号の説明】
【００１６】
１１    導電性部材
１２    ホールダ
１３    導線
１４    表示装置
１５    直流電圧計
２０    コンクリート部材
２１    鉄筋
２２    短絡埋設物
２３    溝
２４    外面
【図１】
2005264571.tif 000003
(57)【要約】【課題】  現場打ちコンクリート用の、補強篭の改良に関するものである。【解決手段】  所要数の竪筋の外周に所要間隔にフープ筋を配筋し、外周全体を必要により透水性ネットで覆い、その外側において竪筋に併行して帯筋を添わせて結束してある。【選択図】    図１
2005264522.tif 000002
【特許請求の範囲】
【請求項１】
所要数の竪筋の外周に所要間隔にフープ筋を配筋し、その外側において竪筋に併行して帯筋を添わせて結束してあることを特徴とするコンクリート杭用補強篭。
【請求項２】
所要数の竪筋の外周に所要間隔にフープ筋を配筋し、鉄筋篭の外用全体を透水性ネットで覆い、その外側において竪筋に併行して帯筋を添わせて前記ネットを挟着した状態にして結束してあることを特徴とするコンクリート杭用補強篭。
【請求項３】
フープ筋の外側においてフープ筋に併行して帯筋を添わせてある請求項１または２記載のコンクリート杭用補強篭。
【発明の詳細な説明】
【技術分野】
【０００１】
この発明は現場打ちコンクリート杭用の補強篭に関するものである。
【背景技術】
【０００２】
発明者は先に現場打ちコンクリート杭の鉄筋篭の外周に透水性布帛からなるいわゆるネットを使用する工法を開発し、多数実施してきた。その工法および構造は下記の公報に開示されている。
ところで、従来鉄筋篭の竪筋とフープ筋とは溶接によって結合されていたが、溶接の信頼性の点から近年この溶接を止めて他の金具等による結合が多く実施されるようになっている。
【特許文献１】特公昭５８−  ３０９２号公報
【特許文献２】実公平  ７−２６４１３号公報
【発明の開示】
【発明が解決しようとする課題】
【０００３】
この発明は前記事情に鑑み、ネットを使用する場合でも、ネットを使用しない場合でも実施できる構造とし、鉄筋篭の竪筋をフープおよび帯筋に結束によって結合し、溶接による結合をしない構成とすることにある。
【課題を解決するための手段】
【０００４】
この発明はフープ筋の外側において、竪筋と平行に竪帯筋を添わせ、必要によりネットを挟んで竪筋、フープ筋、竪帯筋を線材で結束する構成である。
【発明の効果】
【０００５】
この発明は溶接手段を利用することなく、竪筋，フープ筋が竪帯筋に押えられて確実に結合されて、必要によりネットが挟着されて、その結合が外れる恐れがない。
【発明を実施するための最良の形態】
【０００６】
この１番目の発明の補強篭Ａは主筋となる竪筋１の外周に所要間隔にフープ筋２が配筋され、その外側において竪筋１に併行して竪帯筋４が番線５紐等を使用して結束してある。
【０００７】
この２番目の発明の補強篭Ａは主筋となる竪筋１の外周に所要間隔にフープ筋２が配筋され、フープ筋２の外側に透水性化学繊維による網状布、すなわちネット３が覆っており、その外側において竪筋１に併行して帯筋４を添わせて、前記ネット３を挟着した状態にして番線５、紐等を使用して結束してある。
【０００８】
必要により前記２発明とも横帯筋６を所要間隔に配筋する。
【０００９】
図３乃至図８は竪筋、フープ筋、帯筋等の配置、結束状態を示したものである。
【００１０】
図３，５は竪筋１の外側にフープ筋２を配筋し、その外側に竪帯筋４を配筋してあり、図４，６はそれらに加えてフープ筋２の外側にネット３を覆ってあり、それらの交差部は所要箇所で番線５で結束してある。
【００１１】
図７，８はピン金具７を使用した場合を示し、一端を竪帯筋４に挿通し、他端を竪筋１、フープ筋２に巻着してある。
【００１２】
なお補強篭は上下に重ね合せ等によって必要長さに接続する。そして素堀した竪孔に補強篭Ａを建込み、トレミー管を挿入してコンクリートを打設し、基礎杭を造成する。
【図面の簡単な説明】
【００１３】
【図１】１番目の発明の立面図である。
【図２】２番目の発明の立面図である。
【図３】結束部の詳細図である。
【図４】結束部の詳細図である。
【図５】結束部の詳細図である。
【図６】結束部の詳細図である。
【図７】結束部の詳細図である。
【図８】結束部の詳細図である。
【符号の説明】
【００１４】
Ａ…補強篭、１…竪筋、２…フープ筋、３…ネット、４…竪帯筋、５…番線、６…横帯筋、７…ピン金具
【図１】
2005264522.tif 000003
【図２】
2005264522.tif 000004
【図３】
2005264522.tif 000005
【図４】
2005264522.tif 000006
【図５】
2005264522.tif 000007
【図６】
2005264522.tif 000008
【図７】
2005264522.tif 000009
【図８】
2005264522.tif 000010
(57)【要約】【課題】（１）病院他において医師、看護士に腹部を診察の際に重い腰を第三者の手により持ち上げ、または患者自身が持ち上げ下着を下げる行為が大変煩わしく、体力を使ってしまうので、これを容易にする必要がある。（２）また、癌等により腹部に腹水がたまってしまった場合、通常の下着では腹部が大変圧迫され苦しみを伴うのでこれを緩和する必要がある。【解決手段】本発明は、下着前方の一部を切り離し、二重にすると共に止着部材により部分的に開閉可能に止着するようにして、極めて簡単な操作で腹部の所望部位を開閉、またはサイズ変更できるようにしたものである。【選択図】図１
2005264412.tif 000002
【特許請求の範囲】
【請求項１】
療養中、入院中等に着用する衣服・下着であって、前方部分の一部を切り離し、二重にすると共に止着部材により部分的に容易に開閉可能、また二重部分をずらすことにより大きさ自体の変化が可能になる事を特徴とする医療・介護用簡易開閉下着（パンツ）
【請求項２】
診察時、医師および看護師等の手をわずらわせることなく、診察時に自分自身で容易に前方部分を開閉することが可能であり、また癌などにより患者の腹部に腹水がたまった場合、その腹水の量にあわせ苦しくないよう患者自身で（下着）前方の止着部材を自由に広げ身体に合わせることを特徴とする請求項１に記載の医療・介護用簡易開閉下着（パンツ）
【請求項３】
前記の止着部材は前記切り離し部に沿って配設されたマジックテープ（登録商標）である事を特徴とする、請求項１に記載の医療・介護用簡易開閉下着（パンツ）
【発明の詳細な説明】
【技術分野】
【０００１】本発明は診察を受けるときまたは癌などにより腹水がたまる時に着用する衣服に関する。
【背景技術】
【０００２】（１）病院他において医師、看護士による腹部の診察時に、通常下着を脱ぐ、または下にずり下げて該当部位を露出させる必要がある。
（２）また、癌等の病気により腹部に患者を非常に苦しめる因となる腹水がたまってしまうことがある。この腹水は簡単には取り除くことが出来ないので、ある程度溜まるまで患者は圧迫感や痛み・苦痛に耐えなくてはならない。
【発明の開示】
【発明が解決しようとする課題】
【０００３】（１）しかしながら、このように診察の度に診察台や療養ベッドからいちいち重い腰を第三者の手により持ち上げ、または患者自身が持ち上げ下着を下げる行為が大変煩わしく、体力を使ってしまう。特に療養ベッドを利用中の入院患者や腹部以外の腕や足等のケガなどがあった場合は煩わしさよりも自力では不可能な事も想像できる。また医師および看護士が異性の場合、羞恥心などにより精神的ストレスを感じる事もある。本発明は、このような実情に鑑みてなされたものであり本発明の目的は該当する部位のみを簡単に開閉出来るようにした医療・介護用簡易開閉下着（パンツ）を提供することを目的とする。
（２）病気の種類によって腹部に腹水がたまりかなりの苦痛を長期にわたり感じてしまう。これは通常の下着ではゴムなどの圧迫により腹部が締め付けられて起こる現象で、また腹水により想像以上の腹部肥大があり数種類のサイズの下着を準備することなど、経済的にも圧迫することとなる。本発明は、このような実情に鑑みてなされたものであり本発明の目的は該当する部位のサイズを簡単に調整出来るようにした医療・介護用簡易開閉下着（パンツ）を提供することを目的とする。
【課題を解決するための手段】
【０００４】本発明は診察を受けるときまたは癌などにより腹水がたまる時に着用する衣服（下着）に関し、本発明の上記目的は、下着前方の一部を切り離し二重にすると共に止着部材により部分的に開閉可能に止着出来ることを特徴とする、請求項１に係る医療・介護用簡易開閉下着（パンツ）を提供することによって達成される。
【発明の効果】
【０００５】本発明の上記目的は、前記下着前方の前記止着部材を極めて簡単な操作で腹部の所望部位を開閉、またはサイズ変更できる事を特徴とする請求項２に係る医療・介護用簡易開閉下着（パンツ）を提供することによって達成される。
【発明を実施するための最良の形態】
【０００６】本発明の上記目的は、前記止着部材は、前記切り離し部に沿って配設されたマジックテープ（登録商標）である事を特徴とする、請求項３に係る医療・介護用簡易開閉下着（パンツ）を提供することによって達成される。
【実施例】
【０００７】以下、実施例を示す添付図面に基づき本発明の内容を説明する。
なお、実施例は男女兼用が可能なトランクス・ボクサー形状としている。
図１は本発明の一実施形態に係る医療・介護用簡易開閉下着（パンツ）の正面および背面平面図である。
図１において、１は肌触りがよく柔軟な生地で作られた下着本体でこの生地は、通常下着としてよく使われる生地は勿論、シルクや紙などあらゆる生地で対応できる。２は腰後ろ周りに位置する身体に密着が可能な柔軟なゴム、３は左上布（ベース生地）、４は右上布（カバー生地）となりこの３および４が前記の切り離し二重部分である。
３および４の上部腰周りには、３Ａの左上布用止着部材（マジックテープ）、４Ａの右上布用止着部材（マジックテープ）を配置し、前方切り離し二重部分の開放・固定およびサイズ調整に使われる。
図２は本発明の一実施形態に係る医療・介護用簡易開閉下着（パンツ）の機能を説明する正面平面図である。図２において上記図１の３および４の上部腰周り前方切り離し二重部分の開放・固定およびサイズ調整の機能を上、中、下段の図で説明している。
図３は本発明の一実施形態に係る医療・介護用簡易開閉下着（パンツ）の機能を説明する立体図である。図３において上記図１の３および４の上部腰周り前方切り離し二重部分のサイズ調整機能を上、下段の図で説明している。
【産業上の利用可能性】
【０００８】本発明を療養中、入院中の患者に使用することにより診察時に自分自身で容易に前方部分を開閉することが可能になる為、第三者の手をわずらわせることが無くなり特に医師および看護士に係る労力の軽減を図る事が出来る。患者一人に係る人数は各病院によって様々だが昨今の看護士不足などにより多いとは言えない。寝たきりや体重が重い患者の場合、複数の看護士を動員して患者の腰を持ち上げる事となる。これらの労力および人員を軽減することが出来る為、病院内において治療等が円滑に行われるという効果がある。
癌などにより、患者の腹部に腹水がたまった場合、その腹水の量にあわせ、苦しくないよう患者自身で（下着）前方の止着部材を自由に広げ身体に合わせることを出来るので数種類のサイズの下着を準備する必要性が無くなり経済的にも精神的にも余裕が出る。
これらによって周囲の者は安心して診察・入院・療養を本人に受けさせられるという効果がある。
【図面の簡単な説明】
【０００９】
【図１】本発明の一実施形態に係る医療・介護用簡易開閉下着（パンツ）の前面および背面平面図である。
【図２】本発明の一実施形態に係る医療・介護用簡易開閉下着（パンツ）の機能を説明する正面平面図である。
【図３】本発明の一実施形態に係る医療・介護用簡易開閉下着（パンツ）の機能を説明する立体図である。
【符号の説明】
【００１０】１：下着本体
２：伸縮ゴム部
３：左前身ごろ
３Ａ：左前用マジックテープ
４：右前身ごろ
４Ａ：右前用マジックテープ
【図１】
2005264412.tif 000003
【図２】
2005264412.tif 000004
【図３】
2005264412.tif 000005
(57)【要約】【目的】この発明は、汚れたり濡れたりした手を、すぐその場で拭ける様にした物である【構成】エプロンの左右に紐をつけて、タオルを掛ける様にした物【選択図】図１
2005264413.tif 000002
【特許請求の範囲】
【請求項１】
エプロンの左右に布の紐を縫い付け、タオルを掛けて、手をすぐ拭ける様にした衣類
【発明の詳細な説明】
【発明の詳細な説明】
この発明は、炊事・洗濯・掃除と、水に関わる仕事をしている人にとって、手が汚れたり濡れたりと、その都度手を洗い拭きます。特に料理は肉、魚を切ったり野菜を刻む度、手の臭いを取るのに手を洗い拭きます。
エプロンの端で手を拭いたりするのを見かけますが、雑菌がついたりと不衛生です。保母さんもエプロンをしているのを見かけますが、幼児の泣いた顔を拭いたり、汗を拭いたり、汚れを落としたりと、清潔なタオルを必要とします。手を洗ったら、その場で拭いて次の行動にすぐ移れるので便利です。左右使いやすい方にタオルを掛けておき、エプロンと共布で作ると見た目もおかしくありません。
【図面の簡単な説明】
【図１】本発明の前から見た図
【図２】本発明の真上から見た図
【図３】本発明にタオルをかけた図
【符号の説明】
１はエプロン    ２は紐    ３はタオル
【図１】
2005264413.tif 000003
【図２】
2005264413.tif 000004
【図３】
2005264413.tif 000005
(57)【要約】  〔課題〕  デザイン性を損なうことなく充填材や施工補助金具を使用せず施工性に優れ防災効果の高い出隅材を提供すること。  〔解決手段〕  上端、両翼三面の接合位置裏側を覆う型で防水障壁４や固定用ビス孔６の防災機能を備えたアンダープレート２・３を一体形成した。【選択図】    図１
2005264442.tif 000002
【特許請求の範囲】
【請求項１】
上端には上段に施工する出隅材の下部を段差なく収納する固定用ビス孔や防水障壁を有するアンダープレートを形成すると共に、両翼にも隣接する壁材本体と壁面をフラット状に保持しながら収納する防水障壁を有するアンダープレートを形成された事を特徴とする出隅材。
【請求項２】
上端には上段に施工する出隅材の下部を段差なく収納する固定用ビス孔や防水障壁を有するアンダープレートを形成すると共に、両翼にも隣接する壁材本体と壁面をフラット状に保持しながら収納する防水障壁を有するアンダープレートを形成された事を特徴とする出隅材であって、その両翼に収納する壁材本体端面との突合せ部分が壁面に対して直角となる様形成された事を特徴とする請求項１記載の出隅材。
【発明の詳細な説明】
【技術分野】
【０００１】
本発明は外装建材の壁材役物として使用される出隅材に関するものである。
【０００２】
従来より、外壁材の施工で最も技術的に困難で手間のかかると言われる出隅部分の工事には様々な工夫や改良がなされてきた。防水面では、充填材やシール・テープによるシーリング工法が行われ、又、施工性や防災性を向上させるべく施工金具等の改良、開発もなされている。
【発明の開示】
【発明が解決しようとする課題】
【０００３】
しかしながら現在では、表現性、意匠性等デザイン上の観点から従来の上から下までの長尺一体型の出隅材とは違った型の出隅材も数多く使用されている。この出隅材は同質部材でデザインや寸法を外壁材本体に合わせて製作されている。このため従来の長尺一体型の出隅材よりも接合箇所が多くなり、施工性・防災性の大きな悪化要因となっていた。
【０００４】
そこで本発明の目的とするところは、施工性や防災機能に優れた出隅材を提供することにある。
【課題を解決するための手段】
【０００５】
上記の目的を達成する為に、本発明の請求項１に記載の発明は外壁工事の中でも最も技術を必要とされる出隅部分に使用する出隅材１であって、その上下寸法は壁材本体と同寸にて製作されている。そして、その上端には上段出隅材収納用アンダープレート２が形成され、又、両翼にも隣接する壁材本体７収納アンダープレート３を有し、その上端及び両翼のアンダープレート２及び３上には複数本の防水障壁４を形成してなることを特徴とする。
【０００６】
さらに、請求項２に記載の出隅材１は両翼アンダープレート３に収納する壁材本体７端面との突合せ部分５が壁面に対して直角となる様形成され、又、上端アンダープレート２の中央部に出隅材１固定用ビス孔６を形成してなることを特徴とする。
【０００７】
尚、記号は図面及び後述する発明の実施の形態に記載された対応要素、又は対応事項を示す。
【０００８】
本発明の請求項１に記載の出隅材によれば、上端及び両翼に一体形成された三面のアンダープレートにより防水性を向上させ、さらにアンダープレート上に形成された防水障壁と合わせて二重の防水機能の実現により、施工性に優れたノンシーリング工法を提供することができる。
【０００９】
又、請求項２に記載の出隅材によれば、出隅材両翼アンダープレート上の壁材本体突合せ部分を壁面と直角に形成することにより、壁材本体と出隅材との隙間を少なくすることが可能となり、上端アンダープレートに形成された施工後には見えなくなる固定用ビス孔と共に防災機能の保持と共にデザイン的にも優れた出隅材を提供することができる。
【発明の効果】
【００１０】
以上の通り、本発明の請求項１及び請求項２に記載の出隅材によれば、上端と両翼に防水障壁と共に一体形成された三面のアンダープレートにより接合部に充填材や裏側に金具等の使用をしなくても、デザイン性を損なうことなく防水・防災性に優れた出隅工法を提供することができる。
【００１１】
又、本発明の請求項１及び請求項２に記載の出隅材の上端、両翼に防水障壁と共に一体形成された三面のアンダープレート上で接合する本工法は、出隅材、入隅材といった形状の違いはあっても基本的機能は出隅材と同じ壁材役物である入隅材にもそっくり対応することができる。
【発明を実施するための最良の形態】
【００１２】
図１を参照して本発明の実施の形態に係る出隅材１について説明する。図１は出隅材１を示す正面図である。
【００１３】
本発明の実施形態に係る出隅材１の上端と両翼のアンダープレート２・３は一体形成されたもので、隣接の壁材本体７や上段の出隅材１を両翼や上端に接合する場合、その接合部の裏側に防水障壁の形成されたアンダープレートがあるため、充填材によるシーリング無しでも防水・防災機能を高め、施工性の良い出隅を実現することができる。
【００１４】
そして本実施形態において、施工現場において壁面の寸法調整のため出隅材１に隣接の壁材本体７の働き幅をカットして接合する、いわゆる切り合わせ工事でも、出隅材１の突合せ部分５が壁面に直角に形成されているため作業性を向上させる事が出来る。
【図面の簡単な説明】
【００１５】
【図１】正面図
【図２】背面図
【図３】右側面図
【図４】左側面図
【図５】平面図
【図６】底面図
【図７】接合参考図
【図８】入隅応用参考図
【符号の説明】
【００１６】
１    出隅材
２    上端アンダープレート
３    両翼アンダープレート
４    防水障壁
５    突合せ部分
６    固定用ビス孔
７    壁材本体
８    入隅材
【図１】
2005264442.tif 000003
【図２】
2005264442.tif 000004
【図３】
2005264442.tif 000005
【図４】
2005264442.tif 000006
【図５】
2005264442.tif 000007
【図６】
2005264442.tif 000008
【図７】
2005264442.tif 000009
【図８】
2005264442.tif 000010
(57)【要約】      （修正有）【課題】室内又は屋外の床材として使用するもので、特に水周りにおいて排水が良好で、滑り防止効果を得る床材を提供する。【解決手段】高さを揃えた柱状体ピース１の多数を、軸を垂直にして縦横に並列に敷き並べた床材にあり、柱状体ピース１の底面４は各種の形状とすることができる。即ち底面４を裁頭角錐形のテーパー部６とした柱状体ピース１のもの、また、柱状体の底面４に溝部８又は穴部９とし、緩衝材７の突起部１０と嵌合するよう１にした柱状体ピースのもの、更に柱状体の底面４に、テーパー部６を下にして緩衝材７を貼り付けた柱状体ピース１等が使用される。【選択図】図２
2005264476.tif 000002
【特許請求の範囲】
【請求項１】
高さを揃えた柱状体ピースの多数を、軸を垂直にして縦横に並列に敷き並べた床材。
【請求項２】
柱状体の底面を裁頭角錐形のテーパー部とした請求項１に使用する柱状体ピースユニット。
【請求項３】
柱状体の底面に溝部又は穴部とし、緩衝材の突起部と嵌合するようにした請求項１に使用する柱状体ピースユニット。
【請求項４】
柱状体の底面に、テーパー部を下にして緩衝材を貼り付けた請求項１に使用する柱状体ピースユニット。
【発明の詳細な説明】
【技術分野】
【０００１】
本発明は、室内又は屋外の床材として使用するもので、特に水周りにおいて水が溜まらない床材に関するものである。
【背景技術】
【０００２】
従来、木質系床材、又は石やタイル貼り床材は公知であり、各種のものが使用されている。しかし、表面が平滑であり、強固に固定されておれば、水周りでは水溜りができ不快である。又、水溜りは特に滑り易い等危険が多い。
【特許文献１】特開平０５−３３３０２
【特許文献２】実開平０５−７７３０４
【発明の開示】
【発明が解決しようとする課題】
【０００３】
従来、床材は、平滑であり、強固に固定されていて動くことがないとの固定観念があったが、本発明の床は、踏むことにより、独立したピースが僅かに傾斜して波状凹凸ができ、滑り防止効果を得ると同時に、水周りにおいては水は間隙より下部に流下して溜まることがない床材を提供しようとするものである。
【課題を解決するための手段】
【０００４】
本発明は、高さを揃えた柱状体ピースの多数を、軸を垂直にして縦横に並列に敷き並べた床材にあり、柱状体ピースの底面は各種の形状とすることができる。即ち底面を裁頭角錐形のテーパー部とした柱状体ピースのもの、また、柱状体の底面に溝部又は穴部とし、緩衝材の突起部と嵌合するようにした柱状体ピースのもの、更に柱状体の底面に、テーパー部を下にして緩衝材を貼り付けた柱状体ピース等が使用される。
【０００５】
本発明の柱状体は、直方体、六角柱、八角柱等の多角柱の他、四角柱の上面の縦横の長さを変えることもできる。また、材質は石材、木材、磁器、ガラス、ゴム、合成樹脂、金属等、またはそれらの複合材も使用可能である。
さらに、各ピースの色、材質、大きさ、配列等を変えることにより文字や絵をデザインすることができる。配列は並び替えであり、接着する等の必要がないから、専門の職人の手を煩わすことなく実施することができる。
【発明の効果】
【０００６】
本発明の床は、踏むことにより、独立したピースが僅かに傾斜して波状凹凸ができ、滑り防止効果を得ると同時に、水周りにおいては水は間隙より下部に流下して溜まることがない効果がある。
【０００７】
また、踏圧の方向により感触が変わる。即ち、垂直の圧力に対しては、そのままの表面平滑感であり、斜めの圧力に対しては、各ピースが、同方向に傾斜して波状凹凸ができ、滑り防止効果がある。
【０００８】
さらに、各ピースを固定しない為、ピースを下地より取り外し、ピースのみを纏めて洗浄することが、可能であり、下地をも別途洗浄することができる。これは、特に水周りにおいて水垢等の汚物の堆積を防止し清潔を保つことに効果がある。
【発明を実施するための最良の形態】
【０００９】
本発明の細部については、形状、大きさ等変更可能であるが、最良の形態を実施例で示す。
【実施例１】
【００１０】
ピース１ａは直方体で上面２は縦横共、２，５ｃｍ〜３ｃｍ、側面３は底面までの高さ４ｃｍであり、上面及び側面の辺は面取り面５をなす。底面４は裁頭角錘にテーパー部６を設ける。そのピース１ａの多数のものを縦横並列に緩衝材７上に敷設する。
敷設した端辺は壁面又は仕切り面により倒壊しないようにする。
【実施例２】
【００１１】
ピース１ｂの直方体の大きさはピース１ａと同様であり、底面４に十字形に溝部８を設けたものであり、溝部８は緩衝材７の突起部１０に嵌合して、大きく移動しないよう縦横に並べて敷設する。
【実施例３】
【００１２】
ピース１ｃの直方体の大きさはピース１ａと同様であり、底面４に穴部９を設けたものであり、穴部９は緩衝材７の突起部１０に嵌合して、大きく移動しないよう縦横に並べて敷設する。
【実施例４】
【００１３】
ピース１ｄの直方体の大きさはピース１ａと同様であり、緩衝材７にテーパ１２をもうけたものの貼り付け面１１と底面４とを貼り付けてピース１ｄとしたものである。
ピース１ｄの多数を縦横に並べて敷設する。
【産業上の利用可能性】
【００１４】
本発明の床は、室内外の床、特に水周りの床、例えば、風呂、トイレの他、プールの縁等に利用することができる。
【図面の簡単な説明】
【００１５】
【図１】はピース１ａの実施方法を示した説明図である。（実施例１）
【図２】はピース１ｂ及びピース１ｃの実施方法を示した説明図である。（実施例２及        び実施例３）
【図３】はピース１ｄの実施方法を示した説明図である。（実施例４）
【図４】はａ、ｂ、ｃ、ｄ各ピースの上面図、側面図、底面図及び底部斜視図である。
【符号の説明】
【００１６】
１    ピース本体
２    上面
３    側面
４    底面
５    面取り面
６    テーパー部
７    緩衝材
８    溝部
９    穴部
１０  突起部
１１  緩衝材の貼り付け面
１２  緩衝材のテーパー部
【図１】
2005264476.tif 000003
【図２】
2005264476.tif 000004
【図３】
2005264476.tif 000005
【図４】
2005264476.tif 000006
(57)【要約】【課題】  ヒューズのアンペア値は一般的に目視の確認により機器に装着されているが、誤装着によりいろいろな事故が起こっている。【解決手段】  高周波矩形波発振器と増幅器を持ち、ヒューズに流れる電流をコンデンサで微分し、増幅直流変換して演算ユニットにより判定処理される。【選択図】  図１
2005302683.tif 000002
【特許請求の範囲】
【請求項１】
高周波矩形波発振器と増幅器を持ち、コンデンサと微分波電流増幅器により発生した変位を増幅演算して判定するヒューズ検査装置。
【請求項２】
フューズ検査装置を電線の芯線切れや電気接点の接触抵抗等１００ミリオーム以下の低抵抗測定器として使用すること。
【発明の詳細な説明】
【技術分野】
【０００１】  本発明は一般産業、自動車、家庭業界等多業種に使用されているフューズの検査装置に関する。
【技術背景】
【０００２】  従来は目視による確認により行われており、一般に方法が無かった。
【０００３】  計器によってヒューズ値の確認が可能になった。
【実用新案文献１】
平成３−７８５３４
【発明の開示】
【発明が解決しようとする課題】
【０００４】  目視による判定しかできなく、判断ミスによるトラブルが後を断たないので計器によるチェックが必要である。
【課題を解決するための手段】
【０００５】  本発明は装置全体を演算ユニットを用いコンパクト設計とし、どこへでも持ち運びできるようにした。
【発明の効果】
【０００６】  目視による判断から計器による判断に移行し、トラブルがなくなり装置の信頼度が上がり、計器の破損・欠損・火災の防止ができる。
【発明を実施するための最良の形態】
【０００７】  ヒューズという小さい電子部品のため、どこへでも１人で持ち運びできる小型の装置であること。
【実施例】
【０００８】  本発明の実施例を図１にそって説明すると、（１）は矩形波を発生する高周波発振回路であり、（２）は矩形波の増幅器である。（３）は矩形波を微分するコンデンサである。（４）は測定用ヒューズであり、（５）は電流検出用のコイルであり、（６）は増幅直流変換器であり、（７）は判定する演算ユニットである。【０００９】  本発明の実施例を図２の波形をもって説明すると高周波発振回路で作成されたＡ波は増幅器により強化され、コンデンサにより微分され、ヒューズとコイルを通して放電されて弱小信号となる。これを増幅後、直流に変換してＣ波となし、演算ユニットで計測し判定する。
【産業上の利用可能性】
【００１０】本発明の活用例としては一般の結線検査器と組み合わせ、総合検査システムとすれば、品質の向上が可能であり、また自動車修理工場等に於いても使用が可能である。ヒューズを多品種使用する機器においては非常に有用である。
【図面の簡単な説明】
【００１１】
【図１】実施例１の本発明に係わるヒューズ検査装置の結線ブロック図である。
【図２】結線各部の波形である。
【符号の説明】
【００１２】    １  高周波矩形波発振回路
２  矩形波増幅回路
３  コンデンサ
４  使用ヒューズ
５  コイル
６  増幅直流変換器
７  演算ユニット
【図１】
2005302683.tif 000003
【図２】
2005302683.tif 000004
(57)【要約】【課題】  蛍光灯のナツメ球用ソケットには単に電球を取り付けるだけであり、電球を点灯しても光の広がりが固定され、光を楽しむ要素がなかったので、光りの色合いや広がりを楽しむことができる蛍光灯のナツメ球用ソケットに取り付ける照明器具を提供する。【解決手段】  コードの一端に蛍光灯のナツメ球用ソケットに螺合するプラグを取り付け前記コードの他端に電球のプラグが螺合するソケットを取り付ける。ソケットの付近にかさを取り付ける。電球をソケットにねじ込み、プラグを蛍光灯のナツメ球用ソケットにねじ込む。蛍光灯のスイッチを蛍光灯のナツメ球用ソケットに通電する状態に切り替えるとソケットにねじ込んだ電球が点灯し、かさの材質や形状や色による光の広がりや色合いを楽しむことができる。【選択図】  図１
2005302679.tif 000002
【特許請求の範囲】
【請求項１】
コードの一端に設けられ蛍光灯のナツメ球用ソケットに螺合するプラグと、前記コードの他端に設けられ電球のプラグが螺合するソケットと、ソケットの付近に取り付けられたかさを備えることを特徴とする照明器具。
【発明の詳細な説明】
【技術分野】
【０００１】  本発明は、蛍光灯のナツメ球用ソケットに取り付ける照明器具に関するものである。
【背景技術】
【０００２】  従来は、蛍光灯のナツメ球用ソケットには単に電球を取り付けるだけであった。
【発明の開示】
【発明が解決しようとする課題】
【０００３】  電球を蛍光灯のナツメ球用ソケットに取り付けるだけなので、電球を点灯しても光の広がりが固定され，光を楽しむ要素がなかった。
【課題を解決するための手段】
【０００４】  コード１の一端に蛍光灯のナツメ球用ソケットに螺合するプラグ２を取り付ける。前記コード１の他端に電球のプラグが螺合するソケット４を取り付ける。ソケット４の付近にかさ３を取り付ける。【０００５】  電球５をソケット４にねじ込む。プラグ２を蛍光灯６のナツメ球用ソケット７にねじ込む。蛍光灯６のスイッチをナツメ球用ソケット７に通電する状態に切り替えると、ソケット４にねじ込んだ電球５が点灯する。
【発明の効果】
【０００６】  電球５の位置が蛍光灯本体から離れることによる光の広がりや、かさ３の材質や形状や色による光りの広がりや色合いを楽しむことができる。
【発明を実施するための最良の形態】
【０００７】  以下、本発明を図の具体例を用いて詳細に説明する。
【実施例１】
【０００８】  本発明の実施例１について図１、図２、図３を参照して説明する。
コード１の一端に蛍光灯のナツメ球用ソケットに螺合するプラグ２を取り付ける。前記コード１の他端に電球のプラグが螺合するソケット４を取り付ける。ソケット４の付近に光を通す材質を用いたかさ３を取り付ける。【０００９】  本発明は以上の構成からなるので、これを使用する時は、電球５をソケット４にねじ込む。蛍光灯６のナツメ球用ソケット７にプラグ２をねじ込む。蛍光灯６のスイッチをナツメ球用ソケット７に通電する状態に切り替えると、ソケット４にねじ込んだ電球５が点灯する。
かさ３は光を通すので、かさの形状や色による光の広がりや色合いを楽しむことができる。
【実施例２】
【００１０】  実施例１では光を通す材質を用いたかさ３を取り付けたが、実施例２ではこれを光を通さない材質を用いたかさ３を取り付ける。【００１１】  以上の構成からなるので、電球５を点灯すると光の広がりが抑えられた照明にすることができる。
【図面の簡単な説明】
【００１２】
【図１】本発明の斜視図である。
【図２】本発明の断面図である。
【図３】本発明の使用状態の斜視図である。
【符号の説明】
【００１３】１  コード
２  プラグ
３  かさ
４  ソケット
５  電球
６  蛍光灯
７  ナツメ球用ソケット
【図１】
2005302679.tif 000003
【図２】
2005302679.tif 000004
【図３】
2005302679.tif 000005
(57)【要約】【課題】消費電力が少なく又、発熱量も少なく、なおかつ方向性を持つ光の出る動植物育成及び観賞用照明器具を提供する。【解決手段】照明器具カバー２の側面にスイッチ６、コントロールつまみ７、コンセント９、自在金具１０、クリップ１１を取り付け又、内側に絶縁基板８、色調コントローラー４、変圧器１３を取り付け絶縁基板８に任意の発光色のＬＥＤ（発光ダイオード）３を取り付けて各配線し前面に、特殊反射板５を固着する。【選択図】図４
2005302678.tif 000002
【特許請求の範囲】
【請求項１】
照明器具１に、任意の発光色のＬＥＤ（発光ダイオード３、を組み込んだ照明器具。
【請求項２】
色調コントローラー４を組み込んだ照明器具。
【発明の詳細な説明】
【発明の詳細な説明】
【技術分野】
【０００１】  本発明は、動植物育成、例えば熱帯魚、珊瑚、水草等の観賞や飼育等として使用する照明器具に関するものである。
【背景技術】
【０００２】  従来の観賞用水槽の照明器具としては、水槽上枠に任意の長さのカバー内に１灯もしくは２灯に決まった色調の蛍光管を収納したものが一般的に知られているしたがって蛍光管は管全体から発散光をだすため水槽等が全体に明るくなるだけであり、なおかつ、色調は変えられない。又、通電中蛍光管等から熱が発生するという問題点を有した。
【発明が解決しようとする課題】
【０００３】直進性のある光源で照明でき尚且つ色調を調節でき、又、熱が発生しにくくする事を課題としている。
【課題を解決するための手段】
【０００４】  蛍光管では発散光になるため、光源を面から点に変えることである。その光源をどのようなものが理想かを実験と理論の結果、省エネで発熱量の少ないＬＥＤ（発光ダイオード）に変えなおかつ色調コントローラー４をつけることが最上であることを見出した。
【発明を実施するための最良の形態】
【０００５】  本発明に係る動植物育成及び観賞用照明器具を図６に示す実施例により説明すると、この照明器具は図３に示すように、任意の発光色のＬＥＤ（発光ダイオード）３を任意の数、照明器具に組み合わせる事からなっており、水槽１０横のポール１６にクリップ１１を示している。【０００６】  図２及び図３に示すように、照明器具カバー２内側には任意の金属に鏡面加工し凸凹を付け、なおかつ任意の反射板をつけ、これらを特殊反射板５とし内側に組み合わせた。【０００７】  図２及び図４に示すように照明器具カバー２内に色調コントローラー４変圧器１３に絶縁性の基板８を組み付け、任意の発光色のＬＥＤ（発光ダイオード）３を絶縁性の基板８に組み込み配線する。【０００８】  又、本発明はＬＥＤ（発光ダイオード）３を光源として使うので、照明器具１内には従来型照明器具１３に組み込まれている重い安定器は不必要となるので、軽量化が図れる。【０００９】  又、発光体のＬＥＤは小さい為、小型でなおかつ薄い形状化が図れる。【００１０】  図４に示すように照明器具１内に、水滴及び蒸発水がはいらないように光源である任意の発光色のＬＥＤ（発光ダイオード）３の先端近くをシリコン１２で封し水滴及び蒸発水の浸入を防ぐことができる。【００１１】  図３及び図４、図６に示すように、任意の発光色のＬＥＤ（発光ダイオード）３の数を変える事で任意の水槽の大きさにあわせることができ、なおかつ任意の発光色のＬＥＤ（発光ダイオード）３の数を変えることで任意の明るさに変えることができ又、ピンポイントで動植物を照明することができる。又、６０ｃｍ以上の大きな水槽や幅のある水槽でも任意の発光色のＬＥＤ（発光ダイオード）３の数を増やすことで容易に照明することができる。【００１２】  また、鑑賞魚用照明器具に使われている蛍光管では、発散光のため水中内での光のゆらぎは、発生しないが本考案の照明器具に組み込まれている任意の発光色のＬＥＤ（発光ダイオード）３では方向性を持った光を放つ光源のため、水中内で光のゆらぎが発生し、なおかつ明暗のはっきりした照明ができ、水槽内がより自然にみえると共に色調コントローラー４により、容易に動植物に適した波長の光を作り出すことができる。
【発明の効果】
【００１３】  このように、方向性を持った光源を図４のように任意の数だけならべ、点灯させることにより淡水生物水槽では水草類など又、海水生物水槽では、海藻類、造礁性イシサンゴ類、ソフトコーラル類、シャコガイ類等の体内に、共生している褐虫藻類の光合成が促進されることが可能となり、なおかつ水槽内の、水草、海藻、珊瑚、観賞魚等を自然に近い光で照明することができる。
【図面の簡単な説明】
【図１】本発明の照明器具を背面方向からみた斜視図である。
【図２】本発明の照明器具を正面方向から見た断面図である。
【図３】本発明の照明器具の底面図である。
【図４】本発明の照明器具を横方向からみた断面図である。
【図５】従来の鑑賞魚用照明器具の底面図である。
【図６】水槽横ポールに、本考案の照明器具を設置した状態の斜視図である。
【符号の説明】
１照明器具
２照明器具カバー
３ＬＥＤ（発光ダイオード）
４色調コントローラー
５特殊反射板
６スイッチ
７コントローラーつまみ
８絶縁性の基盤
９コンセント
１０自在金具
１２シリコン
１３変圧器
１４水槽
１５上枠
１６ポール
１７蛍光管
１８従来型照明器具
【図１】
2005302678.tif 000003
【図２】
2005302678.tif 000004
【図３】
2005302678.tif 000005
【図４】
2005302678.tif 000006
【図５】
2005302678.tif 000007
【図６】
2005302678.tif 000008